Podtech/llm-jp-corpus-v4-ja_patent huggingface dataset:
(57)【要約】      （修正有）【課題】その日の状況に合わせたティーの高さを固定することができ、また、グッズを飛球線に合わせることで自分の打ち出す方向に合ったスタンスを取ることもでき、さらに、ティーショット後のティー探しも容易であるので、それらを気にしないでスイングだけに集中してティーショットをすることができるグッズを提供する。【解決手段】自分好みのティーを着脱してティーの高さを固定でき、スタンスの方向性やティーの行方を気にしないでティーショットに専念できるドライバー用、アイアン用のゴム板からなる２枚のティーホルダーを３０ｃｍ程度のカラフルで柔らかい太目の紐で繋いだグッズである。【選択図】図１
0003206491.tif 000002
【実用新案登録請求の範囲】
【請求項１】
自分好みのティーを着脱してティーの高さを固定でき、スタンスの方向性やティーの行方を気にしないでティーショットに専念できるドライバー用、アイアン用の２枚のゴム板を３０cm程度のカラフルで柔らかい太めの紐で繋いだグッズを実用新案登録請求する。
【考案の詳細な説明】
【技術分野】
【０００１】
ゴルフのティーショットでのトラブルを解消するグッズを提供する。
【背景技術】
【０００２】
ゴルフのティーショットでは、ティーの高さ、ショットの方向性、ショット後のティーの行方が課題である。
【０００３】
ティーの高さを一定にしたり、その日の風の状況によってティーの高さを調整したりすることは、ゴルフのティーショットにおいて重要なことである。
【０００４】
また、ティーショットにおいて最も重要なことは、打ち出す飛球線の方向にきちんとスタンスをとれているかいうことである。
【０００５】
そして、ティーショット後のティー探しも時間のロスにつながる。
【０００６】
したがって、これら３点のティーショットにおける課題を解決するグッズを考案することは有意義と考える。
【先行技術文献】
【特許文献】
【０００７】
【特許文献１】実登３１９８８８６  ゴルフティー、  実登３１１６３７６  無くならないゴルフティー
【考案の概要】
【考案が解決しようとする課題】
【０００８】
ゴルフのティーショットにおいて重要な課題であるティーの高さ、スタンスの方向性、ティーショット後のティーの行方を解決するグッズを提供する。
【課題を解決するための手段】
【０００９】
自分好みのティーの着脱可能なドライバー用、アイアン用の２枚のゴム板を３０cm程度のカラフルで柔らかい太めの紐で繋いだグッズを提供する。
【考案の効果】
【００１０】
図２、図３の様なゴム板なので自分の好みのティーを自由に取り付けることができる。また、ゴム板のティー挿し込み口は、通常のティーの太さより一回り小さく、取り付け部分のゴム板は厚みがあるのでティーの高さを自由に調節したり固定したりできる。
【００１１】
２枚のゴム板（ティーホルダー）を紐でピンと張り、ティーショットで打ち出す方向に向けたり、直角に張ったりすることでスクエアスタンスやクローズスタンス、オープンスタンスをきちんととることができる。
【００１２】
また、２枚のゴム板を繋いでいる紐は、カラフルで太いため目につきやすく、ティーショット後のティー探しも容易である。
【図面の簡単な説明】
【００１３】
【図１】このグッズにロングティーとショートティーをセットした完成図である。
【図２】ドライバー用のティーをセットするゴム板である。ティーの取り付け部分は、ロングティーなので１ｃｍ２ｍｍと厚く、ティーをしっかりとホールドできる。
【図３】アイアンやフェアーウエイウッドなどで使うショートティーをセットするゴム板である。ドライバー用のゴム板と比べ、ティーの取り付け部分が５ｍｍと薄いがショートティーなのでしっかりホールドできる。
【図４】左側がこのタゲッティーホルダーを携帯するグッズである。右側は、このグッズを実際にベルトに装着し、ティー部分をポケットに入れた図である。
【考案を実施するための形態】
【００１４】
図２と図３のティーホルダーに自分の好みのティーを挿し、高さを調整して固定する。
【実施例】
【００１５】
プライベートのゴルフの場合、２本のティーを打ち出し方向に真っ直ぐ向けてセットする。コンペのゴルフの場合はルール違反になるので打ち出し方向に直角にセットする。
【００１６】
セットしたティーホルダーに合わせてスタンスを決めティーショットをする。
【００１７】
ティーショット後は、図４のようなベルトに取り付け可能なグッズに紐部分を固定しポケットに収納する。
【産業上の利用可能性】
【００１８】
タゲッティーホルダーは、ティーショットの一番緊張する場面で、ティーの高さや方向性、ティーの行方などを考えないでスイングに専念することができる。このことは、ゴルフの技術向上に寄与し、ひいては、ゴルフ業界の底上げにつながる。
【図１】
0003206491.tif 000003
【図２】
0003206491.tif 000004
【図３】
0003206491.tif 000005
【図４】
0003206491.tif 000006
【手続補正書】
【提出日】平成28年7月26日(2016.7.26)
【手続補正１】
【補正対象書類名】実用新案登録請求の範囲
【補正対象項目名】請求項１
【補正方法】変更
【補正の内容】
【請求項１】
自分好みのティーを着脱してティーの高さを固定でき、スタンスの方向性やティーの行方を気にしないでティーショットに専念できるドライバー用、アイアン用のゴム板からなる２枚のティーホルダーを３０ｃｍ程度のカラフルで柔らかい太目の紐で繋いだグッズ
(57)【要約】      （修正有）【課題】飼育動物の糞尿をケージの外に出すことなく容易に掃除を行えるケージを提供する。【解決手段】ある程度の深さをもつトレー（本体１）とそのトレーに取り付ける囲い２を有している。【選択図】図１
0003206493.tif 000002
【実用新案登録請求の範囲】
【請求項１】
トレー部に囲いを取り付け糞尿を床に落とさず、掃除を容易に行えるケージ。
【考案の詳細な説明】
【技術分野】
【０００１】
本考案は、飼育している動物の糞尿が飛び散らすことがないようにする物である。
【背景技術】
【０００２】
近年、飼育される動物の幅が広がり、多くの小動物が飼育されるようになった。特に室内で動物を飼育する場合ケージに入れて飼育する。
【考案の概要】
【考案が解決しようとする課題】
【０００３】
従来のケージは既にトレー内の掃除は容易になっており定まった位置、及び真下に確実に糞尿をする動物なら問題はなかった。しかし、ケージを上り下りする、または定まった方向に糞尿をしない動物ではケージの外に糞尿が出てしまうという問題があった。よって、囲いを取り付け可能にしたことにより前述の問題を解決しようとするものである。
【課題を解決するための手段】
【０００４】
ケージをさらに囲いで覆う。さらにトレー部分をケージ部より大きくし、このトレーに囲いを取り付けることにより糞尿が確実にトレー内に落ちるようにする。
【考案の効果】
【０００５】
上述のようにトレー部に囲いを取り付けたので、糞尿がケージ外に出ることなくトレーに落ちるので床を汚さず、掃除を容易にした。
【図面の簡単な説明】
【０００６】
【図１】本考案の囲い付き動物用飼育ゲージの斜め上から見た図である。
【符号の説明】
【０００７】
１  本体
2  囲い
3  開閉部分
【図１】
0003206493.tif 000003
(57)【要約】      （修正有）【課題】装飾部のサイズや重量が規制されず、デザイン上の制限がなくて、しかも被差し込み部のない箇所に装飾部を備えることが可能な和服用装身具を提供する。【解決手段】ベルト１５を一対のループ１１に挿通し、着物の帯の上に巻き付ける。そして、装飾部９が帯の結び目と装飾的に融合する位置にくるように調整し、バックルのピンを孔に差し込んで、ベルト１５を環状として帯の外周面上に装着する。なお、ベルト１５にはゴム製の伸縮部２１が形成されているので、ベルト１５が帯に圧接して、ずれてしまうのを防止することができる。【選択図】図２
0003206468.tif 000002
【実用新案登録請求の範囲】
【請求項１】
平板状のベースと、前記ベースの表面に設けられた装飾部と、前記ベースの裏面に設けられたベルト挿通用のループとから成ることを特徴とする和服用装身具。
【請求項２】
請求項１に記載した和服用装身具において、ループに挿通するバックル付ベルトを具備したことを特徴とする和服用装身具。
【請求項３】
請求項２に記載した和服用装身具において、バックル付ベルトの途中部分にベルトの長さ方向に伸縮可能な伸縮部を備えたことを特徴とする和服用装身具。
【考案の詳細な説明】
【技術分野】
【０００１】
本考案は和服用装身具に係り、特に帯の結び部周辺を飾る和服用装身具に関するものである。
【背景技術】
【０００２】
和服を着たときに装飾的効果を高めるために種々の和服用装身具が考案されている。この種のものとして特許文献１の和装用装身具があり、このものは帯の結び目などに差し込んで用いる。
【先行技術文献】
【特許文献】
【０００３】
【特許文献１】特開２０１３−５７２号公報
【考案の概要】
【考案が解決しようとする課題】
【０００４】
しかしながら、上記従来の和装用装身具は芯板入り布袋から成る差し込み部を帯の結び目などに差し込んで装着するので脱落し易いという問題があり、装飾部のサイズや重量が規制されることになる。従って、デザイン上の制限も生じることになってしまう。また差し込み部を帯の結び目などの被差し込み部に差し込んで装着することから、被差し込み部のない箇所には装着できないという不都合もある。
本考案は上記従来の問題点に着目して為されたものであり、脱落することがなくて装飾部のサイズや重量が規制されず、デザイン上の制限がなくて、しかも被差し込み部のない箇所に装飾部を備えることが可能な和服用装身具の提供を、その目的とする。
【課題を解決するための手段】
【０００５】
本考案は上記課題を解決するためになされたものであり、請求項１の考案は、平板状のベースと、前記ベースの表面に設けられた装飾部と、前記ベースの裏面に設けられたベルト挿通用のループとから成ることを特徴とする和服用装身具である。
【０００６】
請求項２の考案は、請求項１に記載した和服用装身具において、ループに挿通するバックル付ベルトを具備したことを特徴とする和服用装身具である。
【０００７】
請求項３の考案は、請求項２に記載した和服用装身具において、バックル付ベルトの途中部分にベルトの長さ方向に伸縮可能な伸縮部を備えたことを特徴とする和服用装身具である。
【考案の効果】
【０００８】
本考案の和服用装身具によれば、脱落するおそれがないので装飾部のサイズや重量が規制されず、デザイン上の制限がない。しかも被差し込み部のない箇所に装飾部を備えることが可能である。
【図面の簡単な説明】
【０００９】
【図１】本考案の実施の形態に係る和服用装身具の正面図である。
【図２】図１の和服用装身具の装飾部とその周辺の背面図である。
【図３】図１の和服用装身具を構成するベルトの正面図である。
【図４】和服を身に付けた者が図１の和服用装身具を装着した状態の正面図である。
【図５】和服を身に付けた者が図１の和服用装身具を装着した状態の背面図である。
【考案を実施するための形態】
【００１０】
本考案の実施の形態に係る和服用装身具１を図面にしたがって説明する。
この和服用装身具１は本体３とバックル付ベルト５とから構成されている。
本体３の構造を説明する。符号７はベースを示し、布、合成樹脂等の柔軟性を有する材料によって構成された矩形の平板状を為している。ベース７の表面には装飾部９が設けられており、この装飾部９は布、合成樹脂等から成る種々の色彩が付された複数の矩形のシート１０や小片状の装飾部材１２によって構成されている。
【００１１】
ベース７の裏面には、ベルト挿通用の一対のループ１１が設けられており、一対のループ１１はベース７の左右の端部にそれぞれ備えられ、且つ並んで配置されている。
バックル付ベルト５の構造について説明する。このバックル付ベルト５はベルト１５とバックル１７とから構成されている。
図３に示すようにベルト１５の一端部にバックル１７が取り付けられ、他端部にはバックル１７のピンを差し込む複数の孔１９が並んで設けられている。また、ベルト１５の途中部分である中間部にはゴム製の伸縮部２１が形成され、この伸縮部２１によってベルト１５は、その長さ方向に伸縮可能となっている。
【００１２】
この和服用装身具１の使用方法を説明する。
ベルト１５を一対のループ１１に挿通し（図２参照）、図４に示すように着物の帯２３の上に巻き付ける。そして、装飾部９が帯２３の結び目２５と装飾的に融合する位置にくるように調整し、バックル１７のピンを孔１９に差し込んで、ベルト１５を環状として帯２３の外周面上に装着する。なお、ベルト１５にはゴム製の伸縮部２１が形成されているので、ベルト１５が帯２３に圧接して、ずれてしまうのを防止することができる。
【００１３】
このように、本考案の和服用装身具１によれば、バックル付ベルト５によって帯２３の外周面上に装着するので、装飾部９のサイズや重量が規制されず、デザイン上の制限がなくなる。しかも被差し込み部のない箇所に装飾部９を備えることが可能となる。
【００１４】
以上、本考案の実施の形態について詳述してきたが、具体的構成は、この実施の形態に限られるものではなく、本考案の要旨を逸脱しない範囲における設計の変更などがあっても考案に含まれる。
例えば、装飾部は上記したデザインのものに限定されず、装飾部を他のデザインのものにしてもよいのは勿論である。
【産業上の利用可能性】
【００１５】
本考案の和服用装身具は、装身具製造販売業に利用可能性を有し、脱落するおそれがなくて装飾部のサイズや重量が規制されず、デザイン上の制限を受けないで、しかも被差し込み部のない箇所に装飾部を備えることが可能な和服用装身具を提供できる。
【符号の説明】
【００１６】
１…和服用装身具      ３…和服用装身具の本体      ５…バックル付ベルト
７…ベース            ９…装飾部                １１…ベルト挿通用のループ
１０…矩形のシート    １２…小片状の装飾部材      １５…ベルト
１７…バックル        １９…ベルトの孔            ２１…ベルトの伸縮部
２３…帯
【図１】
0003206468.tif 000003
【図２】
0003206468.tif 000004
【図３】
0003206468.tif 000005
【図４】
0003206468.tif 000006
【図５】
0003206468.tif 000007
(57)【要約】      （修正有）【課題】体外から容易に操作でき、狭い吐出口の視野を確保しやすい、イカからイカ墨の漏出を防止するクリップ（体内留置型）を提供する。【解決手段】柄部、開口調節部、把持部を有するクリップであって、柄部を細くし、把持部を、柄部と直角になる構造とした。イカ墨の吐出口をクリップで把持する事により墨の漏出を防止する。【選択図】図１
0003206481.tif 000002
【実用新案登録請求の範囲】
【請求項１】
視野を確保する為、クリップの柄の部分を細くし端部分を柄を直角に曲げた構造となるクリップ。
【考案の詳細な説明】
【技術分野】
【０００１】
本考案はイカの墨の吐出口を容易に塞ぐ事が出来るクリップに関するものの改良版である
【背景技術】
【０００２】
今まではイカの墨の漏出を防ぐ器具は無かった
【考案の概要】
【考案が解決しようとする課題】
【０００３】
今まではイカの墨の漏出を防止する器具が無かった為、イカ墨によりクーラーボックスや周囲を汚していた。料理の際には手がイカ墨で黒くなっていた。又イカ墨を利用する場合、墨が漏出し量が減少していた。
【課題を解決するための手段】
【０００４】
本考案は墨の吐出口をクリップで挟むことで墨の漏出を容易に防止出来る事が特徴である。又、クリップを体外から容易に操作出来る構造となっており、狭い吐出口の視野を確保し易い構造となっている。
【考案の効果】
【０００５】
このクリップを使う事により、イカ墨の漏出が防止でき、周囲をイカ墨で汚染することなく、料理の際にも手が汚れない。イカ墨は墨袋の内側に留まりイカ墨利用の際には量の目減りが無い。
【図面の簡単な説明】
【０００６】
【図１】図1-あ  イカの腹部正面の図  い  イカの漏斗部上部腹壁を軽く持ち上げ墨の吐出口を足部から視認した図  う  吐出口をクリップで挟んだ状態図
【図２】本考案ののクリップの形状で正面図・側面図・見取り図及び使用時に把持部を開口した図
【図３】本考案で模擬イカ墨の吐出口を把持した図
【考案を実施するための形態】
【０００７】
墨の吐出口の視界を遮らず、手前に向かって来る吐出口を確実に把持出来るようにクリップ柄の部分は細くし、吐出口把持部分はクリップ柄の部分と直角になる構造とした。
【実施例】
【０００８】
イカの漏斗部が確認出来る正面図（図1あ）この状態で腹腔壁を足側より軽く挙上すると漏斗上部に緑色かかった黒い墨袋が見え、その末梢部、漏斗中枢側に2本の透明な吐出口が有る（図1い）本考案のクリップの手動開口調節部をつまんで、吐出口に把持部をあて吐出口を挟み手動開口調節部を離すと、イカ墨吐出口が把持され墨が漏出しない状態になる。
【産業上の利用可能性】
【０００９】
イカ墨の漏出を止める事により、人の手や周囲の汚染を防止し、イカ墨の量を減少させない為、墨の量が確保される。
【図１】
0003206481.tif 000003
【図２】
0003206481.tif 000004
【図３】
0003206481.tif 000005
【手続補正書】
【提出日】平成28年6月21日(2016.6.21)
【手続補正１】
【補正対象書類名】実用新案登録請求の範囲
【補正対象項目名】全文
【補正方法】変更
【補正の内容】
【実用新案登録請求の範囲】
【請求項１】
柄部、開口調節部、把持部を有するクリップであって、前記柄部を細くし、前記把持部を、前記柄部と直角になる構造としたことを特徴とするクリップ。
(57)【要約】      （修正有）【課題】樹木に関するＣＯ２吸収効果等の情報を広報する名札を提供する。【解決手段】樹木１に関する情報又は温暖化防止に対する樹木１についての情報を有するＱＲコード（登録商標）４を名札２の表面に表記する。【選択図】図１
0003206484.tif 000002
【実用新案登録請求の範囲】
【請求項１】
樹木の名札に記入されたＱＲコードで、樹木に関する諸情報や、温暖化防止に対する樹木の役割などを、スマートフォンやタブレット端末にて知っていただくことが出来る方法。
【請求項２】
公園の掲示板に記入されたＱＲコードで、公園内の案内や、公園施設の使い方、公園内樹木の温暖化削減効果に対する説明等を、スマートフォンやタブレット端末にて知っていただくことが出来る方法。
【請求項３】
ＱＲコードの情報をスマートフォンやタブレット端末で知らせる手段としては、「喋る」「文字で表す」「画像や映像で表す」がある。
【考案の詳細な説明】
【技術分野】
【０００１】  本考案は、街路樹や公園などに植えてある樹木に取り付けられていて、その樹木の説明のための名札に、スマートフォンなどの携帯機器を近づけることによって、その樹木に関する情報が、音声等で聞きとることが出来るようにしたものであります。
【背景技術】
【０００２】  街路樹や公園などに植えてある樹木には、名札が付けられている例が多い、そして、その名札には、「樹木の名前」「樹木の科名」「樹木の簡単な説明」等が記されているが、「樹木の原産地」「何時植えられたか」「樹木を植えた動機」「温暖化ガスの吸収量はどの程度か」等は明記されておらないことが多いようです。
地球温暖化の大きな要因となっている、人間の経済活動に伴う化石燃料の消費による二酸化炭素（以下ＣＯ２）の排出削減が必要とされており、その結果として京都議定書が発効されたが、我が国では、その対応策として森林によるＣＯ２の吸収効果が注目されているところであります。
ところが、我が国の現状としては、木材利用量の７割が外国からの輸入であり。また、森林の手入れが十分に出来ずに荒廃している森林も目立ち、次世代に森林資源を残すためにも森林を更新する必要があるとされております。
そこで、それらの対策として、樹木を育てる必要性を大人は基より、子供達にも知っていただくことが大切であります。
しかし乍ら現状では、この公園の森林全体で、或は１本の樹木がどの程度の温暖化ガス削減効果としてのＣＯ２吸収効果があるのか等を、公園内の掲示板とか樹木に付けられている名札には、ほとんど記載はされておりません。
【先行技術文献】
【０００３】
【特許文献】
【０００４】
【非特許文献】
【非特許文献】森林・林業科学館「温暖化防止と森林」著書：木下  直
【０００５】
【考案の概要】
【考案が解決しようとする課題】
【０００６】  本考案は、公園などの掲示板や樹木に付けられた名札に記されたＱＲコード（２次元バーコード）を、スマートフォンやタブレット端末等で読み込ませると、音声等にて以下の情報等が喋られるものであります。
それらの機器が、知らせる情報としては、
▲１▼  地球温暖化に対する樹木の役目。
▲２▼  公園や樹木の温暖化がス削減の貢献度。
▲３▼  樹木の名前と科名、樹木の原産地・特徴等。
▲４▼  植えられた時期。
▲５▼  樹木を植えたきっかけとなった、誕生や結婚祝いなどの出来事。
▲６▼  公園内の道案内。
などです。
【課題を解決するための手段】
【０００７】  上記の課題に鑑みて試された、本考案の目的を達成させる手段として、コンピュータ処理技術である拡張現実（ＡＲ）の技術を使います。拡張現実とは、現実の環境から視覚や聴覚、触覚などの知覚に与えられる情報を、コンピュータによる処理で追加あるいは削減、変化させる技術の総称ですが、
本考案の場合は、公園などの掲示板や樹木の名札に、伝えるべきデジタル情報のＱＲコードを表示し、それをスマートフォンやタブレット端末で読ませて、画像や映像、音声などを利用者に提供するシステムのことであります。
【考案の効果】
【０００８】  本考案の効果の一つとしては、地球温暖化の対応策として、森林や樹木の役割を広く知って頂くことにあります。
特に家族や学校などで、子供たちと一緒に公園など行った場合には、その公園の掲示板や樹木の名札にＱＲコードを表記すれば、大人は基より子供たちにも公園の木々や街路樹の持つ役目を知っていただく良い機会となります。
【考案を実施するための形態】
【０００９】  以下、本考案を実施するための最良の形態について、図面を参照して説明する。
【００１０】  先ず、樹木に取り付ける名札：１を作る。その名札には樹木の名前と科名が記されているが、名札内の：３の部分には、スマートフォンやタブレット端末で読み取っていただくためのＱＲコードを記入する。
【００１１】  同様に、公園等の掲示板：５にも掲示板内の：３の部分に公園内の案内や、公園内の樹木が果している、地球温暖化の対応策として、森林や樹木の役割を広く知って頂くためのＱＲコードを記入する。
【００１２】
【００１３】
【００１４】
【図面の簡単な説明】
【図１】本考案の樹木に取り付けた名札と、その名札に記入したＱＲコードを示した図である。
【図２】本考案の公園等に設置された掲示板と、その掲示板に記入したＱＲコードを示した図である。
【符号の説明】
【００１５】  １・・・樹木
２・・・名札
３・・・ＱＲコード
４・・・スマートフォンやタブレット
５・・・公園の掲示板
【実施例１】
【００１６】
【産業上の利用可能性】本考案の他に活用できる分野として、次の分野が考えられる。
▲１▼  各種商品のネームプレートにＱＲコードを記入して、その商品の取り扱い方法や、トラブル時の連絡先を知らせることが出来る。
▲２▼  食料品などでは、料理の仕方や、おいしい食べ方、賞味期限などをネームプレートのＱＲコードで知らせることが出来る。
▲３▼  様々な備品や道具などにＱＲコードを記入して、収納する場所を知らせることが出来る。
【図１】
0003206484.tif 000003
【図２】
0003206484.tif 000004
【手続補正書】
【提出日】平成28年6月29日(2016.6.29)
【手続補正１】
【補正対象書類名】実用新案登録請求の範囲
【補正対象項目名】全文
【補正方法】変更
【補正の内容】
【実用新案登録請求の範囲】
【請求項１】
樹木に関する情報又は温暖化防止に対する樹木の役割についての情報を有するＱＲコードが表面に記された名札。
【手続補正３】
【補正対象書類名】明細書
【補正対象項目名】０００７
【補正方法】変更
【補正の内容】
【０００７】樹木に関する情報又は温暖化防止に対する樹木の役割についての情報を有するＱＲコードを名札の表面に表記する。
(57)【要約】      （修正有）【課題】音響障害を軽減するにあたって拡散・吸音を一括として処理ができ、さらに各々の効果の配分・配置の微調整を可能とすることができる拡散吸音体を提供する。【解決手段】丸棒２を中心として、周囲に筒状の吸音材３を巻きつける。筒状吸音材３の一部を切り取り、丸棒２が露出するようにする。筒状吸音材３は丸棒２を中心に回転するように取り付け、拡散・吸音の配置を調整可能とする。上下に上板１、底板４を取り付けて一つの単体とする。上下の上板１、底板４の一部に丸型の欠損部と突出部をつけ、その欠損部と突出部を用いて単体どうしが連結できるようにする。連結された単体は連結部を回転させることによって角度調整できるようにする。【選択図】図１
0003206485.tif 000002
【実用新案登録請求の範囲】
【請求項１】
音を拡散する丸棒を芯とし、筒形状の吸音材で覆った拡散吸音体。
【請求項２】
音を拡散する丸棒を芯とし、一部欠損のある筒形状の吸音材で覆い、丸棒の一部が露出することで音の拡散と吸音を単体で可能とした拡散吸音体。
【請求項３】
音を拡散する丸棒を芯とし、一部欠損のある筒形状の吸音材で覆い、丸棒を中心に吸音材を回転することで拡散・吸音の位置を可変とした拡散吸音体。
【考案の詳細な説明】
【技術分野】
【０００１】  本考案は、音の特性を調整する拡散吸音体である。
【背景技術】
【０００２】  従来、音響障害が生じた場合、音を吸音する、あるいは音の反射方向を制御して対処していた。
【考案の概要】
【考案が解決しようとする課題】
【０００３】  音響障害を軽減するために吸音材で対処すると空間の響きが減少する。音響設計をしないで音の反射方向を制御すると十分な効果が得られない。また手直しが困難、微調整ができないことが多い。
本考案は以上の問題点を解決するためになされたものである。
【課題を解決するための手段】
【０００４】    丸棒を中心として、周囲に筒状の吸音材を巻きつける。筒状吸音材の一部を切り取り、丸棒が露出するようにする。筒状吸音材は丸棒を中心に回転するように取り付け、拡散・吸音の配置を調整可能とする。上下に板を取り付けて一つの単体とする。上下の板に欠損部と突出部をつけ、その欠損部と突出部を用いて単体どうしを連結かつ連結部分が自由な角度に調節できるようにする。
以上の構成による拡散吸音体
【考案の効果】
【０００５】    従来、音響障害を軽減するにあたって音を拡散させる、あるいは吸音させていたことに対し、本発明により拡散・吸音を一括として処理ができ、さらに各々の効果の配分・配置の微調整を可能とすることができる。
【図面の簡単な説明】
【０００６】
【図１】本考案の斜視図
【図２】本考案の断面図
【図３】本考案の部分詳細図
【考案を実施するための形態】
【０００７】以下、本考案の実施の形態を説明する。
（イ）音を反射する材料でできた丸棒（２）の上・下に丸形状である上板（１）と底板（４）を取り付ける。
（ロ）上板（１）、底板（４）ともに同じ径を持つ丸形状の欠損部と突出部を設ける。
（ハ）上板（１）と底板（４）に付く欠損部は、上板（１）と底板（４）に付く突出部が結合でき、その結合部において突出部が回転できるように欠きこみを設ける。
（ニ）上板（１）、底板（４）の欠損部に新たな上板（１）、底板（４）の突出部をはめ込むようにして、必要な長さとなるまで連結していく。
（ホ）筒状の吸音材（３）は長さ方向に切り込みを入れ、丸棒（２）を挟み込むようにして取り付ける。
（ヘ）筒状の吸音材（３）は必要に応じて一部切り取り、丸棒（２）に挟み込んだ際に丸棒（２）の一部が露出するようする。
（ト）筒状の吸音材（３）は丸棒（２）を中心に回転できるようにする。
本考案は以上のような構造である。
本考案を使用するときは、音響障害の程度や設置可能面積を考慮して、結合部で角度を調整しながら必要個数を連結させて設置する。
本考案を使用するときは、音響障害が生じている場所に設置し、聴感で確かめながら、筒状吸音体（２）を回転あるいは取り外して、音響調整を行う。
本考案の拡散吸音体に入力された音波の一部は吸音材（３）によって熱エネルギーに変換、一部は音を反射する材料でできた丸棒（２）によって拡散される。
本考案で使用される吸音材（２）は筒形状であることから表面積が広く、吸音材内の行程が長いことから、低音域を含む高性能な吸音特性が可能となる。
本考案で使用される丸棒（２）は入射された音を反射させ、音の拡散状態を実現する。
本考案の上板（１）および底板（４）に設けられた欠損部（５）と突出部（６）は、上板（１）および底板（４）の中心点を通る直線上とは角度をもって配置することによって、奥行をもって連結されることとなり、低音域までの吸音が可能となる。
本考案の拡散吸音体をスピーカと背面の壁の間に設置することによって、壁からの反射による音の位相干渉が生じにくくなり、音のカラーレーションを防ぐことができる。
本考案の拡散吸音体を、対面する壁が並行な部屋に設置することによってフラッターエコーを回避することができる。
本考案の拡散吸音体を室内の隅に設置することにより、音のブーミングを回避することができる。
本考案の拡散吸音体を室内に設置することにより、定在波を吸音・拡散することができる。
【符号の説明】
【０００８】（１）上板、（２）丸棒、（３）吸音材、（４）底板、（５）欠損部、（６）突出部
【図１】
0003206485.tif 000003
【図２】
0003206485.tif 000004
【図３】
0003206485.tif 000005
(57)【要約】      （修正有）【課題】本考案は、建築物における内外装タイルの落下防止のために、タイルに加工を施したタイルシートを提供する。【解決手段】タイル１裏面に溝又は孔を形成し、その溝又は孔に金属線３を挿入して単体もしくは複数のタイル１を接着剤４等の固定材で連結固定させて、その金属線３は建築物に取り付けることができるようにする。【選択図】図３
0003206490.tif 000002
【実用新案登録請求の範囲】
【請求項１】
矩形のタイルの一辺に平行な方向に溝又は孔が設けられ、当該溝又は孔が同一直線に並ぶように配置された複数のタイルと、前記溝又は孔に沿って配置され前記複数のタイルに固定された金属線とを含むタイルシート。
【請求項２】
請求項１で連結固定されたタイルシートは、金属線を任意の寸法に延長させて建築物本体との固定ができるようにしたタイルシート。
【請求項３】
タイルとタイルを連結している金属線を、指定された目地幅よりも数ミリ程度長めにセットすることにより、タイル施工時の目地幅の調整を容易にできるようにしたタイルシート。
【考案の詳細な説明】
【技術分野】
【０００１】本考案は、金属線と接着剤からなるタイル落下防止に関するものである。
【背景技術】
【０００２】タイル単体と建築物内外壁を、接着剤で固定した金属製の線を介して固定するタイル落下防止策は以前から行われていた（例えば、非特許文献１、２参照）。
【先行技術文献】
【０００３】
【非特許文献１】「建築工事標準仕様書ＪＡＳＳ１９陶磁器質タイル張り工事」
【非特許文献２】「日本工業規格ＪＩＳＡ５２０９−２００８」
【考案の概要】
【考案が解決しようとする課題】
【０００４】しかしながら、タイル単体単位での施工は時間が掛かるうえに、単に接着剤でタイルと金属線を固定するだけでは充分な接着強度が得られなかった。
【課題を解決するための手段】
【０００５】  本考案は、単体のタイル数個から数十個を指定の寸法になるように糊付の紙やフイルム等で固定されたものに、連なったタイル裏面に溝を入れ、その溝内に金属線を埋め込み、その後金属線上に接着剤を注入する事でタイルと金属線の接着力が強固になるとともに、連なったタイルシートが形成される事により、タイルが単体で剥離して落下することを防ぐとともにタイル数個から数十個を一度に施工できるので、タイル工事の施工能力を向上させる事で上記の課題を解決する。
【考案の効果】
【０００６】  本考案に係る連結式タイル落下防止加工は、数枚から数十枚のユニット化したタイルを金属線で固定する事で、タイル工事の施工性を大幅に向上させるとともに、タイルと金属線の接着力を強化する事で内外装タイルの落下を大幅に減少させる事ができる。
【図面の簡単な説明】
【０００７】
【図１】本考案に係る連結式タイル落下防止加工におけるタイル溝入れ工程図である。
【図２】本考案に係る連結式タイル落下防止加工の金属線挿入工程図である。
【図３】本考案に係る連結式タイル落下防止加工に於ける接着剤等の固定材の固定工程図である。
【図４】本考案に係る連結式タイル落下防止加工の仕上がり状態を表示する図であり、ユニット化を示す図である。
【図５】本工程に係る連結式タイル落下防止加工の仕上がり状態を示すタイル表面図である。
【図６】本工程に係る連結式タイル落下防止加工の部分断面図であり、目地部における金属線の弛みを表している。
【考案を実施するための形態】
【０００８】図１に示すように、一般的に使用されるタイル全般にわたり、タイル１の裏面に図２の３で表されている、金属線を挿入させるための溝２を形成させる。
【０００９】図２に示すように金属線３を挿入し、その２と３で形成された部分に接着剤等の固定材を充填させる。
【００１０】図３で形成されたタイルと金属線とでなるものを、図４に示すように任意の数量を連結させる。
【００１１】図４に示すように金属線３は任意の寸法を両端若しくは片端に延長させる。
【００１２】上記工程により完成した本考案の連結式タイル落下防止加工品は金属線の片端、もしくは両端を建築物本体にビス等の固定器具を用いて固定することにより、通常はタイル張用のモルタルセメントや弾性接着剤にて一枚ずつ建築物と接着させているタイルが万が一剥がれた場合でも、落下して器物や人物へ被害を与えることを防止することができる。
【００１３】上記工程により完成した本考案の連結式タイル落下防止加工品は金属線の片端、もしくは両端をプレキャストコンクリート板の製造過程においてプレキャストコンクリート内部の鉄筋等に結束することで、プレキャストコンクリート板でのタイルの落下防止になる。
【００１４】タイルとタイルを金属線で連結する場合には、指定されたタイル間の幅である目地幅よりも、図６で示すように金属線を数ミリ程度長めにタイル間に差し渡して弛ませておくことで実際のタイル施工時に於ける目地幅調整が可能となる。
なお、本実施形態では複数のタイルに溝が形成されている場合について説明したが、溝の替りに孔が形成されていてもよい。
【符号の説明】
【００１５】１タイル
２溝
３金属線
４接着剤
５糊付紙や粘着フイルム
６弛みをもたせた金属線
【図１】
0003206490.tif 000003
【図２】
0003206490.tif 000004
【図３】
0003206490.tif 000005
【図４】
0003206490.tif 000006
【図５】
0003206490.tif 000007
【図６】
0003206490.tif 000008
【手続補正書】
【提出日】平成28年7月8日(2016.7.8)
【手続補正１】
【補正対象書類名】実用新案登録請求の範囲
【補正対象項目名】全文
【補正方法】変更
【補正の内容】
【実用新案登録請求の範囲】
【請求項１】
矩形のタイルの一辺に平行な方向に溝又は孔が設けられ、当該溝又は孔が同一直線に並ぶように配置された複数のタイルと、前記溝又は孔に沿って配置され前記複数のタイルに固定された金属線とを含むタイルシート。
【請求項２】
請求項１で連結固定されたタイルシートは、金属線を任意の寸法に延長させて建築物本体との固定ができるようにしたタイルシート。
【請求項３】
タイルとタイルを連結している金属線を、指定された目地幅よりも数ミリ程度長めにセットすることにより、タイル施工時の目地幅の調整を容易にできるようにしたことを特徴とする請求項１または請求項２に記載のタイルシート。
(57)【要約】      （修正有）【課題】突起物を踏んだり、タイヤに衝撃を受けたときにタイヤチューブの破損を防止することができる半チューブ式自転車タイヤを提供する。【解決手段】自転車タイヤの断面において、地面着地部分６のタイヤの内側に海綿状の硬質樹脂または、ゴム発泡体３をタイヤ内部の半分以上に敷き詰め、その上部にゴムチューブ４を入れることで、タイヤのパンクを防ぐと同時にチューブレスタイヤに比べて軽量化も図れる。【選択図】図１
0003206487.tif 000002
【実用新案登録請求の範囲】
【請求項１】
自転車タイヤの断面において、地面着地部分のタイヤの内側に海綿状の硬質樹脂をタイヤ内部の半分以上に敷き詰め、その上部にゴムチューブを入れた半チューブ式自転車タイヤ
【請求項２】
自転車タイヤの断面において、地面着地部分のタイヤの内側にゴム発泡体をタイヤ内部の半分以上に敷き詰め、その上部にゴムチューブを入れた半チューブ式自転車タイヤ
【考案の詳細な説明】
【考案の詳細な説明】
従来の自転車用のタイヤは、内部にゴムチューブを入れ、タイヤ内部をチューブ内の空気で満たし、その空気圧で自転車の車体を支えている。それゆえチューブ圧により緩衝効果を持つこととなる。また、空気層があるためのパンクを防ぐのに、チューブレスタイヤと称しタイヤの中をゴムで埋め尽くされているタイヤもある。現存するチューブタイヤでは、パンクを引き起こすことが考えられ、またチューブレスタイヤでは、内部がゴムで満たされることでタイヤが重くなり、負担を増すことにつながる。
本考案は、これらの欠点を補うために考案されたものである。
タイヤ断面で考えたとき、内部において地面着地側半分の部分に海綿状硬質樹脂またはゴム発泡体を入れることで、突起物を踏んだり、タイヤに衝撃を受けたときにタイヤチューブの破損を防ぐことができる。
現在、海綿状硬質樹脂またはゴム発泡体でタイヤ内をすべて満たすことで、パンクの防止、またゴムだけでタイヤ内を満たすのに比べて空気層を作ることにより重さを軽減することが考えられている。しかしこのように空気層があると長期にわたり荷重がかかることにより変形し、タイヤの形を変えることにつながる。この点についても本考案物は、タイヤ断面においてタイヤ接地面の上にある海綿状硬質樹脂またはゴム発泡体の上部にタイヤチューブを入れそこに入れる空気の量により、海綿状硬質樹脂またはゴム発泡体の変形を補うことができる。またタイヤ内を海綿状硬質樹脂またはゴム発泡体ですべて満たすのに比べて本考案物はその量が約半分で済むためその分軽量化を図ることができる。
【図面の簡単な説明】１．バルブ                ２．空気層
３．海綿状の硬質樹脂または、ゴム発泡体
４．チューブ              ５．タイヤのゴム部分
６．タイヤの地面接地部分
【図１】
0003206487.tif 000003
【手続補正書】
【提出日】平成28年7月25日(2016.7.25)
【手続補正１】
【補正対象書類名】明細書
【補正対象項目名】全文
【補正方法】変更
【補正の内容】
【考案の詳細な説明】
【技術分野】
【０００１】  自転車や自動二輪車に使われているタイヤをパンクしにくく、また、できるだけ軽くするための技術といえる。
【背景技術】
【０００２】  自転車や自動二輪車に使われているタイヤは軽く、また空気圧により乗り心地よくなっている。ただ、ゴム層を貫き空気層に達するように、金属片などが突き刺さると、パンクする。
従来は、この欠点を補うためにチューブレスタイヤが開発されたが、タイヤが重く自転車をこぐための負担が多くなり、弾力性も失われるため乗り心地も落ちることになる。
重さの改善のため、硬質樹脂繊維を海綿状にしたものや、ゴム発泡体をタイヤ内部に満たし、重さを軽減するものが世に出だしているが、多少軽くなり、また無垢のゴムに比べて弾力性も増すことになるが十分とは言い切れない。
【考案の概要】
【考案が解決しようとする課題】
【０００３】  従来は、パンクを解決する手段としては、チューブレスのタイヤにすることでタイヤの内部をゴムで満たすという方法をとっている。しかしこれによりタイヤが重くなるという欠点を生むことになる。その後、重さの点を改善しようとして、タイヤ内部を海綿状の硬質樹脂やゴム発泡体で満たすことでいくらか軽くすることができた。
ただ、後者の２案でもチューブタイヤに比べると重くなる。また、チューブレスのため弾力性に欠け、乗り心地も落ちてしまう。
【課題を解決する手段】
【０００４】  本考案物は、タイヤ断面においてタイヤ接地面の上にある海綿状硬質樹脂またはゴム発泡体（図面中の符号３の部分）の上部にタイヤチューブ（図面中の符号３の部分）を入れタイヤチューブに入れる空気の量により、海綿状硬質樹脂またはゴム発泡体の変形を補うことができる。またタイヤ内を海綿状硬質樹脂またはゴム発泡体ですべて満たすのに比べて本考案物はその量が約半分で済むためその分軽量化を図ることができる。
【考案の効果】
【０００５】  本考案物は、海綿状硬質樹脂またはゴム発泡体は、構造から使う量が、半分で済むためその分コスト削減ができる。タイヤ断面において半分の部分が、チューブ内にある空気層になるので他の物で満たされているものに比べて弾力性を持つ。また、タイヤ内をゴム、海綿状硬質樹脂またはゴム発泡体で満たされたものに比べて空気層がある分軽くなる。
【図面の簡単な説明】
【０００６】
【図１】  タイヤ断面図
【符号の説明】
【０００７】１．バルブ                ２．空気層
３．海綿状の硬質樹脂または、ゴム発泡体
４．チューブ              ５．タイヤのゴム部分
６．タイヤの地面接地部分
(57)【要約】      （修正有）【課題】収容物を取り出す際に収容物の種類を容易に認識でき、且つ取り出しやすいスライド式収容ケースを提供する。【解決手段】収容物を保持する際に必然的に収容物が整列する収容部３と、収容部に連結し、カバー部２を備えたベルト部４を有し、ベルト部を利用してスライドさせてカバー部に収納部を収容する。収容物が収容ケース内部で整列することで、収容物（コインケースの場合は硬貨）の出し入れの利便性と携帯性を両立する。【選択図】図２
0003206482.tif 000002
【実用新案登録請求の範囲】
【請求項１】
収容物を保持する際に必然的に収容物が整列する収容部を有し、連結したベルト部を利用してスライドさせてカバー部に収納することにより成るスライド式の収容ケース。
【請求項２】
収容物が硬貨である場合に、硬貨の径相当の深さ、且つ幅を硬貨数枚分としている収容ケースにより、収容物を保持する際に必然的に収容物が整列する収容部を有し、連結したベルト部を利用してスライドさせてカバー部に収納することにより成るスライド式の収容ケース。
【考案の詳細な説明】
【技術分野】
【０００１】  本考案は、収容物が必然的に整列する収容部に連結したベルト部を利用し、スライドしてカバー部へ収納する収容ケースに関するものである。
【背景技術】
【０００２】  既に製品化されているコインケースなどの収容ケースは、袋状のものに小銭を入れるが、取り出す際には硬貨の種類を探し選んで取り出すことが多い。
【考案の概要】
【考案が解決しようとする課題】
【０００３】  収容ケースの一例としてコインケースがあげられるが、一般的なコインケースは、袋状のものに小銭を入れるが、深さが硬貨径よりもかなり大きく、取り出す際に硬貨の種類を探し選んで取り出すが、その際の硬貨選別に手間がかかる。【０００４】  本考案は、収容物が収容ケース内部で整列することで、収容物（コインケースの場合は硬貨）の種類を選ぶ手間、およびケース部に連結されたベルト部を利用してカバー部に引き込んで収容する構造を取ることで出し入れの利便性と携帯性を両立する構造と実施例を提供する。本考案の収容ケースは、収容物を取り出す際に収容物の種類を容易に認識でき、且つ取り出しやすい構造とすることで、利便性を提供することを目的とする。
【課題を解決するための手段】
【０００５】  上記の目的を達成する本考案の構成は次の通りである。【０００６】  このような目的を達成する本考案の収容ケースは、収容物を保持する際に必然的に収容物が整列するケース部を有し、連結したベルト部を利用してスライドさせてカバー部に収容する機構を有する。
【考案の効果】
【０００７】  本考案は、図１から図３に示すように、収容物を保持する際に必然的に収容物が整列するケース部を有し、連結したベルト部を利用してスライドさせてカバー部に収容する機構を有する。【０００８】  上記の構造とすることで、収容物を取り出す際に収容物の種類を容易に認識でき、且つ取り出しやすい構造とすることで、携帯性と利便性を提供する。
【図面の簡単な説明】
【図１】本考案の収容時の背面図
【図２】本考案の使用時の正面図
【図３】ケース部の収容状態を示す図
【図４】ケース部単独の正面図
【考案を実施するための形態】
以下、好ましい考案の一実施形態につき、コインケースを例に挙げて図面を参照しながら概説する。なお、本考案の実施形態は、下記実施形態に何ら限定されることはなく、本考案の技術範囲に属する限り種々の形態を採りうる。
【０００９】  本考案の収容時は、図４に示すようにケース部にベルトを連結した構造となっており、図２から図１の状態へは、ベルト部を引き出しカバー部にケース部を引き込むことで収納でき、ベルト部とカバー部に設置されたボタンを留めることによって収容状態を保持すると同時にコンパクトなサイズとなり携帯性も両立する。
【００１０】  本考案の使用時は、ベルト部を留めているボタンを外し、カバー部からケース部を引き出して使用する。
【００１１】  その際、ケース部は硬貨径相当の深さ、且つ幅は硬貨数枚分としていることで必然的に硬貨が整列し、硬貨の種類の判別と取り出しやすさを両立する。
【符号の説明】１  収容ケース
２  カバー部
３  コインケース部（ケース部）
４  ベルト部
５  ボタン
６  硬貨（収容物）
【図１】
0003206482.tif 000003
【図２】
0003206482.tif 000004
【図３】
0003206482.tif 000005
【図４】
0003206482.tif 000006
【手続補正書】
【提出日】平成28年5月30日(2016.5.30)
【手続補正１】
【補正対象書類名】実用新案登録請求の範囲
【補正対象項目名】全文
【補正方法】変更
【補正の内容】
【実用新案登録請求の範囲】
【請求項１】
収容物を保持する際に必然的に収容物が整列する収容部と、前記収容部に連結し、カバー部を備えたベルト部を有し、前記ベルト部を利用してスライドさせて前記カバー部に前記収納部を収容することにより成るスライド式の収容ケース。
【請求項２】
収容物が硬貨である場合に、硬貨の径相当の深さ、且つ幅を硬貨数枚分としている収容ケースにより、収容物を保持する際に必然的に収容物が整列する収容部と、前記収容部に連結し、カバー部を備えたベルト部とを有し、前記ベルト部を利用してスライドさせて前記カバー部に前記収容部を収納することにより成るスライド式の収容ケース。
(57)【要約】      （修正有）【課題】洗顔時、手指などを水で濡らす際、腰を深く曲げて、顔をおろさなくても袖口からの水の浸入を防止できる着脱容易なリストバンドを提供する。【解決手段】手指を水で洗浄する際に、余分な水が、腕や衣服に伝わらないようにするためのもので、手首の太さに調節した長さの紐状のスポンジまたは、類似の吸湿性の材料を、手首に巻き付けて面ファスナーで固定する。袖口から空気の侵入を防ぐため、暖かいという効果もある。【選択図】図１
0003206486.tif 000002
【実用新案登録請求の範囲】
【請求項１】
手指を水等で洗浄する際に、余分な水が、腕や衣服に伝わらないようにするためのもので、手首の太さに調節した長さの紐状（幅１センチ〜３センチ程度）のスポンジまたは、類似の吸湿性の材料を、手首に巻き付けてマジックテープ等で固定した、着脱が簡単なリストバンド。
【考案の詳細な説明】
【技術分野】
【０００１】  本考案は、洗顔または、歯磨きなどの際に、手指から水が腕を伝わり、袖口など衣服を濡らすことを防止するためのものである。
【背景技術】
【０００２】  洗顔時など、手指などを水で濡らす際、袖口からの水の浸入を防止するためには、前腕部を平行にするしかなく、その場合、腰を深く曲げて、顔を下ろすしかない。筋力の弱い老人や腰痛の患者などにはつらい体勢となる。
【考案の概要】
【考案が解決しようとする課題】
【０００３】  袖口からの水の浸入を防ぐためには、腕や顔を下げて、無理な体勢を取ることが必要であった。
【課題を解決するための手段】
【０００４】  本考案は、手指を水等で洗浄する際に、余分な水が、腕や衣服に伝わらないようにするためのもので、スポンジまたは、類似の吸湿性の材料で、手首に取り付けて使用する着脱が簡単なリストバンドとしたものである。また袖口から空気の進入を防ぐため、暖かいという効果もある。
【図面の簡単な説明】
【０００５】
【図１】本考案の実施形態を示すリストバンドの立面図
【図２】同断面図
【図３】本考案のリストバンドの装着図
【考案を実施するための形態】
【０００６】  以下、本考案の実施の形態を図１〜図２に基づいて説明する。
【０００７】  図１においては、１は手首に巻くリストバンド本体部分で、スポンジまたは類似の吸湿性材料で構成される。２は、マジックテープで、簡単に着脱できる固定部である。１を手首に巻き付け、２で固定する構成となる。
図２は、リストバンドの断面図である・
【実施例】
【０００８】  図３は、リストバンド４を手首３に装着した状態を示す。リストバンド本体は、スポンジなど吸湿性材料で構成され、マジックテープ２とは、接着剤や縫製などの手段で固定される。
【符号の説明】
【０００９】１  リストバンド本体
２  マジックテープ
３  手
４  装着時のリストバンド
【図１】
0003206486.tif 000003
【図２】
0003206486.tif 000004
【図３】
0003206486.tif 000005
【手続補正書】
【提出日】平成28年7月1日(2016.7.1)
【手続補正１】
【補正対象書類名】実用新案登録請求の範囲
【補正対象項目名】全文
【補正方法】変更
【補正の内容】
【実用新案登録請求の範囲】
【請求項１】
手指を水で洗浄する際に、余分な水が、腕や衣服に伝わらないようにするためのもので、手首の太さに調節した長さの紐状のスポンジまたは、類似の吸湿性の材料を、手首に巻き付けて面ファスナーで固定した、着脱が簡単なリストバンド。
(57)【要約】      （修正有）【課題】生活に適した様々な活用が可能な着れる手ぬぐいを提供する。【解決手段】幅４５ｃｍ×長さ２ｍのサラシ反の中央に長さ３０ｃｍの縁取り加工をし、頭から脱着出来るポンチヨ孔を設ける。布地はネームペンでも文字が手書き出来る綿絹を主材とする。タスキ、ロープ、マスク、バンダナ、マフラ、ベルト、ターバン、スカーフなど様々に活用できる。【選択図】図１
0003206488.tif 000002
【実用新案登録請求の範囲】
【請求項１】
幅４５ｃｍｘ２ｍのサラシ反を縫製した  ポンチョ孔  付き  着る手ぬぐい
【請求項２】
頭から脱着出来るポンチョ孔を加工した  請求項１の  ポンチョ孔  付き着る手ぬぐい
【考案の詳細な説明】
技術分野
【技術分野】
【０００１】  みの廻り生活用品  着る手ぬぐい
【背景技術】着られる手ぬぐい活用する事で静電気を減少できる。
アトピー肌の方にとって化学染料や繊維を多量に使用した肌着は使用中に静電気を発生させている。
背中の汗分の吸い取りにも有望です：自動車を運転中シートと背中の間の汗取りは首部から抜きとれる為乾いた手ぬぐいと簡単に取り換えられる
【考案の概要】
【考案が解決しようとする課題】
【０００２】手ぬぐいに手軽にポンチョ孔を施せる方法を考案する。
【課題を解決するための手段】
【０００３】手ぬぐいと同じ幅  ４５ｃｍの当て布で縁取りをする
【考案の効果】
【０００４】２ｍを半折して肩から垂らすと約１ｍとなり下半身を包むことが出来る
パンツの中で余り布部分が尿漏れに対応できる  腰廻りの保温もできる【０００５】４５ｃｍｘ２ｍの特注寸法で織つたサラシ反に汗取り機能が期待出来る木綿糸を使用
【図面の簡単な説明】
【０００６】
【図１】  ポンチョ孔付  着る手ぬぐいを上から見た図  平面図
【図２】  ポンチョ孔付  着る手ぬぐい縦から見た図  正面図
【図３】  ポンチョ孔付  着る手ぬぐいを横から見た図  側面図
【図４】  使用状態参考図  名前書きした着る手ぬぐい
【考案を実施するための形態】
【０００７】ミシン加工が必要となる。手ぬぐいと同じ幅  ４５ｃｍの当て布で縁取りをする
【実施例】
【０００８】４５ｃｍｘ２ｍの特注寸法で織つたサラシ反に汗取り機能が期待出来る木綿糸を使用した  名前が書ける布地を仕様とした。
【産業上の利用可能性】着る手ぬぐいは機能として  ２０パタン位用法がある  例えば  東京都の品川区で試みの認知症迷子対策として肌着に  番号をスタンプする  洗濯しても消えないインクと版の組合わせ技があります
着る手ぬぐい  の布地は晒し反でネームペンで描けます  ＴＥＬ  郵便番号  誕生日  なまえ  似顔写真印刷  等  自在にデザインが可能となります
２ｍの長さは  手ぬぐいエステの用具として活用出来る  ４５ｃｍ幅で風呂敷の機能が出せる  巻く  包む  敷く  背負う  束ねる  結ぶ  塞ぐ  引張る
タスキ  ロープ  マスク  バンダナ  マフラ  ベルト  ターバン  スカーフ  特に役立つ活用法として  火災の煙は１０分間吸うだけで障害が生じる可能性がある  水で濡らし  若し水ものが無いなら  自分の  おしつこで湿らすことで濡れマスクが造れる  肌身にある物が全て災害に遭遇した時に備えて使用する
ＦフランＣチャイズ加盟には［振り子、フーチ術］の研修があります、自分の身体は自分で知る、計測できる伝承技法がフーチ技だ
【図１】
0003206488.tif 000003
【図２】
0003206488.tif 000004
【図３】
0003206488.tif 000005
【図４】
0003206488.tif 000006
【手続補正書】
【提出日】平成28年6月30日(2016.6.30)
【手続補正１】
【補正対象書類名】実用新案登録請求の範囲
【補正対象項目名】全文
【補正方法】変更
【補正の内容】
【実用新案登録請求の範囲】
【請求項１】
幅４５ｃｍ×長さ２ｍのサラシ反の中央に長さ３０ｃｍの縁取り加工をしたポンチヨ孔のある着れる手拭い
【請求項２】
頭から脱着出来るポンチヨ孔を加工している構造であり布地はネームペンでも文字が手書き出来る素材を特長とした綿絹が主材の請求項１の着れる手拭い